(57)【要約】【課題】ＴＭ／ＴＣにおいて被制御局装置の停電通報をハード的に行っていたため、被制御局装置の発信回路とバックアップ用電源及び制御局装置の受信回路などが必要であり、コストＵＰとなっていた。また、小型化の妨げとなっていた。【解決手段】停電時に被制御局装置の装置電源が持っている一次電源不足電圧検出信号を使用して停電通報をＨＤＬＣ手順でソフトウエアで行う。ＨＤＬＣのフレームを途中で中断できるようにすることによって、停電発生時に停電通報ができるようにする。停電通報信号としてＨＤＬＣ手順におけるグローバルアドレスを使用することによって一番短いフレームであるＵフレームで停電通報を行うことができる。短い時間で送信できるのでバックアップ電源は必要でなく通常装置電源に入っているコンデンサ程度で十分である。【選択図】            図２
2005057363.tif 000002
【特許請求の範囲】
【請求項１】
制御局装置と被制御局装置との間でＨＤＬＣ手順により通信を行うようにした遠方監視制御システムにおいて、
被制御局装置は、制御局装置との通信中に自局の電源装置に入力される一次側電圧の不足電圧を検知すると、制御局装置との間のＨＤＬＣ手順による通信を中断し、ＨＤＬＣ手順のグローバルアドレスを使用して一番短いフレームを停電通報信号として制御局装置に送信し、
制御局装置は、前記停電通報信号を少なくとも１回受信し、その後回線断を検出した場合に被制御局装置の停電と判断することを特徴とする遠方監視制御システムの停電通報方法。
【請求項２】
停電通報信号として用いられる一番短いフレームは、ＨＤＬＣ手順のＵフレームであることを特徴とする請求項１記載の遠方監視制御システムの停電通報方法。
【請求項３】
被制御局装置は、電源装置の２次側電圧がある限り、停電通報信号を送信することを特徴とする請求項１または２に記載の遠方監視制御システムの停電通報方法。
【請求項４】
制御局装置は、停電通報信号受信後、一定時間回線断を検出した場合に停電と判断することによって誤判断を防止することを特徴とする請求項１または２に記載の遠方監視制御システムの停電通報方法
【発明の詳細な説明】
【０００１】
【発明の属する技術分野】
この発明は、制御局装置と被制御局装置との間でＨＤＬＣ手順により通信を行うようにした遠方監視制御装置（以下においてはＴＭ／ＴＣと呼ぶ）システムにおいて、被制御局装置で停電が発生した場合の停電通報方法に関するものである。
【０００２】
【従来の技術】
ＴＭ／ＴＣにおいて、データ伝送が途切れた場合、データ伝送が途切れた原因の究明と復旧を早急に行う必要がある。データが途切れる要因としては伝送線の切断の場合と停電の場合とがある。停電信号を伝送することで原因を区分することが重要である。
図５は従来技術の一例である。被制御局装置５１と制御局装置５２は通常、数キロから数１０キロ離れていて、回線５９を通じてデータを伝送している。被制御局装置５１の一次電源入力５１０が停電により、なくなると、一次電源不足電圧検出信号５１４により、回線をモデム部５５から停電信号発信回路５１７に切り替える。停電信号発信回路５１７から停電を示す信号を回線５９を通じて発信する。
【０００３】
停電信号発信回路５１７および回線切替回路５１８にバックアップ電源５１６を設けておく。装置電源５３は一般的なコントローラ用の電源を使用する場合が多く、一次電源入力５１０に停電が生じると短時間で二次側電源供給５１２がなくなるため、停電信号発信回路５１７および、回線切替回路５１８をバックアップするためにバックアップ用電源５１６が必要となる。
制御局装置５２は回線分岐回路５２０にて信号を分岐し、常に停電信号を傍受している。停電信号を受信し、その後、回線断（被制御局装置５１の二次側電源供給５１２がなくなることによる）となることによって被制御局装置５１の停電と判断し停電信号５１５を出力する。このように停電通報をハード的に行うものとしては特許文献１がある。
【０００４】
このように従来は停電通報をハード的に行っており、停電信号発信回路５１７と停電信号受信回路５１９を設け、停電信号発信回路５１７は停電時でも停電信号を発信するまで動作できるようにバッテリバックアップする必要があった。
【０００５】
【特許文献１】
特開平６−２６６２９２号公報
【０００６】
【発明が解決しようとする課題】
ＴＭ／ＴＣにおいて被制御局装置の停電通報をハード的に行っていたため、被制御局装置の発信回路とバックアップ用電源及び制御局装置の受信回路などが必要であり、コストＵＰとなっていた。また、ＴＭ／ＴＣを小型化するうえでこれらのハードのスペースが妨げとなっていた。
上記に鑑み、本発明は、停電通報をハード的に行うことなくすることにより、コストアップが生じず、且つ余分なスペースも必要としない遠方監視制御システムの停電通報方法を提供することを目的とする。
【０００７】
【課題を解決するための手段】
上記課題を解決するために、本発明は、制御局装置と被制御局装置との間でＨＤＬＣ手順により通信を行うようにした遠方監視制御システムにおいて、被制御局装置は、制御局装置との通信中に自局の電源装置に入力される一次側電圧の不足電圧を検知すると、制御局装置との間のＨＤＬＣ手順による通信を中断し、ＨＤＬＣ手順のグローバルアドレスを使用して一番短いフレームを停電通報信号として制御局装置に送信し、制御局装置は、前記停電通報信号を少なくとも１回受信し、その後回線断を検出した場合に被制御局装置の停電と判断するようにした。
また、停電通報信号として用いられる一番短いフレームは、ＨＤＬＣ手順のＵフレームとした。
【０００８】
さらに、被制御局装置は、電源装置の２次側電圧がある限り、停電通報信号を送信するようにした。
【０００９】
【発明の実施の形態】
図１は本発明による停電通報方法を適用する遠方監視制御システムの一実施例を示す。図１において、制御局装置２から数キロから数１０キロ離れたところに被制御局装置１が設置され回線を通じてデータ伝送が行われている。一次電源入力１０は被制御局装置１に供給されている。被制御局装置１の装置電源３は常時一次電源入力１０の電圧を監視し、不足電圧を検出した場合は一次電源不足電圧検出信号１４を伝送制御部４に出力する。
伝送制御部４は一次電源不足電圧検出信号１４によって、直ちに送信フレームを中断しグローバルアドレス（グローバルアドレスとはアドレス‘１１１１１１１１’（全て１であり、アドレス２５５）のことで停電通報用に使用する）のＵフレーム（非番号制フレームのことでモード設定の要求・応答や異常の報告とか送受信番号無し、回線の切断や伝送モードの切替えなどを送信するフレームで本発明では停電を通報するフレーム）を二次側電源供給１２がある限りモデム部５に出力する。
【００１０】
モデム部５は伝送制御部４から入力した信号を変調し、二次側電源供給１２がある限り回線９にＵフレームを送信する。制御局装置２のモデム部８は受信した信号（Ｕフレーム）を復調し、伝送制御部７に出力する。伝送制御部７はグローバルアドレスのＵフレームを１回でも受信し、その一定時間後に回線断を検出した場合は被制御局装置１の停電と判断し、停電信号１５を出力する。
図２は本発明のタイミングチャート１（図１の被制御局装置１の一次電源入力１０が停電時のタイミングチャート）を示す。図２において被制御局装置１側では、停電により一次電源入力１０の電圧が下がることを検出して一次電源不足検出信号１４が出力される。一次電源不足検出信号１４によりモデム部５はＨＤＬＣ手順でＩフレーム（情報フレームのことで情報を伝送するときのフレーム）を中断しＵフレームを送信する。
【００１１】
二次側電源電圧はコントローラの電源として一般的に１００μｓ程度バックアップ時間を確保されているのでＵフレームを送信することができる。図２ではＵフレームを２回送信している。３回目は二次側電源電圧が下がり始めたので送信されない。
制御局装置２側では、被制御局装置１から送信されてくるＩフレーム，Ｕフレームを受信する。また、回線キャリアレベル（制御局、被制御局間のモデム伝送における伝送信号のレベルのこと）から回線断状態を検出する。Ｕフレームと回線断から制御局装置２の伝送制御部７は停電と判断し停電信号１５を出力する。
図３は本発明のタイミングチャート２（図１の一次電源入力１０がふらついた場合）を示す。図３では被制御局装置１の一次電源入力１０がふらつき、一次電源不足検出信号１４が一時的に出力されたが、実際には停電と判断しなかった場合のタイミングチャートである。図３において、被制御局装置１側では、一次電源入力１０がふらつき、一次電源不足電圧検出信号１４が出力され、直ちに送信フレームを中断しグローバルアドレスのＵフレームが制御局装置２に送信される。
【００１２】
制御局装置２側では、グローバルアドレスのＵフレームを受信するが、その後一定時間後に回線断（回線キャリアレベルにより判断）とはならないため、停電信号は出力せず、被制御局装置１の停電とはならない。このようにグローバルアドレスのＵフレーム受信と回線断を組み合わせることによって、停電の誤判断を防止することができる。
図４は、図２、図３のタイムチャートを実現するための本発明の被制御装置１での伝送制御部４の処理フローチャートを示す。
伝送制御部４は、一次電源不足電圧検出信号の割り込みまたは一次電源不足電圧検出信号を定周期で監視して不足電圧検出信号を検出すると、その時のフレーム送信状態を確認する（ステップＳ１）。その時、フレームを送信中であると判断されると（ステップＳ２）、図２、図３に示したとおりＩフレームの送信を停止し（ステップＳ３）、グローバルアドレスＵフレームを作成し（ステップＳ４）、このＵフレームを制御局装置に送信する（ステップＳ５）。
【００１３】
Ｕフレームの送信後、不足電圧を検出中であるかを判断し（ステップＳ６）、不足電圧を検出中であれば、２次側電圧がある限りステップＳ５、Ｓ６を繰り返して実行し、Ｕフレームを繰り返し制御局装置に送信する。不足電圧検出信号の消滅あるいは２次側電圧の消滅により不足電圧を検出できなくなると、ＨＤＬＣ手順の初期状態へジャンプする（ステップＳ７）。
ステップＳ２において送信中でないと判断されると、ステップＳ４に進んでＵフレームを作成し、同様にしてＵフレームの送信を実行する。
【００１４】
【発明の効果】
以上説明したように、本発明によれば被制御局装置の装置電源からの一次電源不足電圧検出信号を使用し、ＨＤＬＣ手順でのＩフレームを途中で中断できるようにすることによってＵフレームを送信し、回線断状態との組み合わせで停電と判断し、停電通報ができるようになった。
また、伝送制御部４及び伝送制御部７のソフトウエアの改造で行っているので被制御局装置のバックアップ電源、停電信号発信回路、回線切替回路及び制御局装置の回線分岐回路、停電信号受信回路などが不要となり、安価でコンパクトな構成とすることができた。
【図面の簡単な説明】
【図１】本発明の一実施例の構成を示すブロック図である。
【図２】図１の被制御局装置１の一次電源入力１０が停電時のタイミングチャートである。
【図３】図１の一次電源入力１０がふらついた場合のタイミングチャートである。
【図４】伝送制御部４の処理フローチャートである。
【図５】従来の遠方監視制御システムの構成図である。
【符号の説明】
１  被制御局装置
２  制御局装置
３  被制御局装置の装置電源
４  被制御局装置の伝送制御部
５  被制御局装置のモデム部
６  制御局装置の装置電源
７  制御局装置の伝送制御部
８  制御局装置のモデム部
９  被制御装置と制御局装置を結ぶ回線
１０  被制御局装置の一次電源入力
１１  制御局装置の一次電源入力
１２  被制御局装置の二次側電源供給
１３  制御局装置の二次側電源供給
１４  一次電源不足電圧検出信号
１５  停電信号
５１  被制御局装置
５２  制御局装置
５３  被制御局装置の装置電源
５４  被制御局装置の伝送制御部
５５  被制御局装置のモデム部
５６  制御局装置の装置電源
５７  制御局装置の伝送制御部
５８  制御局装置のモデム部
５９  被制御局装置と制御局装置を結ぶ回線
５１０  被制御局装置の一次電源入力
５１１  制御局装置の一次電源入力
５１２  被制御局装置の二次側電源供給
５１３  制御局装置の二次側電源供給
５１４  一次電源不足電圧検出信号
５１５  停電信号
５１６  バックアップ電源
５１７  停電信号発信回路
５１８  回線切替回路
５１９  停電信号受信回路
５２０  回線分岐回路
【図１】
2005057363.tif 000003
【図２】
2005057363.tif 000004
【図３】
2005057363.tif 000005
【図４】
2005057363.tif 000006
【図５】
2005057363.tif 000007